(57)【特許請求の範囲】
【請求項１】
乳幼児のための胸当て部，股当て部および背当て部を一体に連設しかつ展開可能に構成してなる乳幼児服において、
乳幼児の首，脚および腕を通すための切欠きを前記胸当て部，股当て部および背当て部の所定個所に形成し、
前記胸当て部および背当て部の各左右側部を係脱自在に係合し得る側部係止ホックと、前記胸当て部および背当て部の各上端を係脱自在に係合し得る上部係止ホックとを設けるとともに、
子守者用の上衣に設けた第１の係止具が係脱自在に係合し得る第１の被係止具を前記背当て部に設け、前記上衣に設けた第２の係止具が係脱自在に係合し得る第２の被係止具を前記胸当て部に設けた、
ことを特徴とする乳幼児服。
【請求項２】
前記背当て部には襟部が設けられており、前記第１の被係止具は前記襟部によって上方から覆われている、
ことを特徴とする請求項１記載の乳幼児服。
【請求項３】
前記第２の被係止具は、前記胸当て部に設けたポケット内に収納可能になっている、
ことを特徴とする請求項１記載の乳幼児服。
【請求項４】
前記襟部の裏面側の両端部には係止ホックが設けられており、これらの係止ホックは、前記襟部を立てた状態で前記上衣側の係止ホックに係脱自在に係合し得るようになっている、
ことを特徴とする請求項２記載の乳幼児服。
【請求項５】
請求項１記載の乳幼児服とともに用いられる子守者用上衣において、
前記第１の被係止具に係脱自在に係合し得る第１の係止具を前面側左右上部にそれぞれ設け、前記第２の被係止具に係脱自在に係合し得る第２の係止具を前面側左右下部にそれぞれ設けるとともに、
前記第１および第２の係止具を収納し得るポケットを前面側の上，下部にそれぞれ設けた、
ことを特徴とする子守者用上衣。
【請求項６】
背面側に配設したベルト部材により、前記第１および第２の係止具の各基部を連結した、
ことを特徴とする請求項５記載の子守者用上衣。
【請求項７】
前記ベルト部材を背面側の表布内に長さ方向スライド自在に設けた、
ことを特徴とする請求項６記載の子守者用上衣。
【発明の詳細な説明】
【０００１】
【発明の属する技術分野】
本発明は、乳幼児服および子守者用上衣に関する。
【０００２】
【従来の技術およびその課題】
一般に、乳幼児キャリアには、実開平２−７１３５９号公報に示すような複数本の紐を組み合わせてなる紐式や、実公平４−１７０６４号公報に示すような袋状に形成してなる袋式があり、さらに、本件出願人により出願された特願平６−２５９３０２号に示すような、前当て部，股当て部および背当て部を一体に形成してなる展開可能なキャリア本体を有するキャリア一体型などがある。
【０００３】
しかしながら、上記いずれのタイプの場合においても、乳幼児キャリアの使用の際には、子守者が肩掛ベルトを装着し、乳幼児をキャリア内に収容するといった手順が必要になり、乳幼児キャリアの装着は必ずしも容易なものではない。
【０００４】
その一方、乳幼児は通常、乳幼児服を着用しており、したがって、この乳幼児服を乳幼児キャリアとして利用できれば、装着の容易な乳幼児キャリアを実現できると考えられる。
【０００５】
本発明は、このような従来の実情に鑑みてなされたもので、装着の容易な乳幼児キャリアとしての使用が可能な乳幼児服および子守者用上衣を提供することを目的とする。
【０００６】
【課題を解決するための手段】
請求項１の発明に係る乳幼児服は、乳幼児のための胸当て部，股当て部および背当て部を一体に連設しかつ展開可能に構成してなる乳幼児服において、乳幼児の首，脚および腕を通すための切欠きを前記胸当て部，股当て部および背当て部の所定個所に形成し、前記胸当て部および背当て部の各左右側部を係脱自在に係合し得る側部係止ホックと、前記胸当て部および背当て部の各上端を係脱自在に係合し得る上部係止ホックとを設けるとともに、子守者用の上衣に設けた第１の係止具が係脱自在に係合し得る第１の被係止具を前記背当て部に設け、前記上衣に設けた第２の係止具が係脱自在に係合し得る第２の被係止具を前記胸当て部に設けたことを特徴としている。
【０００７】
請求項２の発明に係る乳幼児服は、請求項１において、前記背当て部に襟部が設けられており、前記第１の被係止具が前記襟部によって上方から覆われていることを特徴としている。
【０００８】
請求項３の発明に係る乳幼児服は、請求項１において、前記第２の被係止具が、前記胸当て部に設けたポケット内に収納可能になっていることを特徴としている。
【０００９】
請求項４の発明に係る乳幼児服は、請求項２において、前記襟部の裏面側の両端部に係止ホックが設けられており、これらの係止ホックが、前記襟部を立てた状態で前記上衣側の係止ホックに係脱自在に係合し得るようになっていることを特徴としている。
【００１０】
請求項５の発明に係る子守者用上衣は、請求項１記載の乳幼児服とともに用いられる子守者用上衣において、前記第１の被係止具に係脱自在に係合し得る第１の係止具を前面側左右上部にそれぞれ設け、前記第２の被係止具に係脱自在に係合し得る第２の係止具を前面側左右下部にそれぞれ設けるとともに、前記第１および第２の係止具を収納し得るポケットを前面側の上，下部にそれぞれ設けたことを特徴としている。
【００１１】
請求項６の発明に係る子守者用上衣は、請求項５において、背面側に配設したベルト部材により、前記第１および第２の係止具の各基部を連結したことを特徴としている。
【００１２】
請求項７の発明に係る子守者用上衣は、請求項６において、前記ベルト部材を背面側の表布内に長さ方向スライド自在に設けたことを特徴としている。
【００１３】
請求項１の発明に係る乳幼児服においては、展開状態にして乳幼児に着せた後、側部係止ホックおよび上部係止ホックをそれぞれ係合することにより、通常の乳幼児服として使用される。
【００１４】
次に、乳幼児キャリアとして使用する際には、子守者用の上衣を予め子守者が着用しておき、この状態から、上衣の第１，第２の係止具を乳幼児服の第１，第２の被係止具にそれぞれ係合させる。これにより、乳幼児が子守者の上衣に吊り下げられた状態になるので、乳幼児キャリアとしての使用が可能である。
【００１５】
この場合には、乳幼児が予め乳幼児服として着用していることにより、第１，第２の係止具および被係止具を係合させるだけで乳幼児キャリアの装着が可能になるので、装着の容易な乳幼児キャリアとしての使用が可能になる。
【００１６】
請求項２の発明では、背当て部に設けられた襟部により第１の被係止部が覆われるので、通常の乳幼児服として使用する際に、第１の被係止部が外部に露出するのを防止できる。
【００１７】
請求項３の発明では、胸当て部に設けられたポケット内に第２の被係止部を収納することができるので、通常の乳幼児服として使用する際に、第２の被係止部が外部に露出するのを防止できる。
【００１８】
請求項４の発明では、襟部の係止ホックを上衣側の係止ホックに係合させることにより、襟部を立てた状態にすることができるので、乳幼児キャリアとして使用する際に、この襟部を頭当て部（ヘッドサポート）として使用できる。
【００１９】
請求項５の発明に係る子守者用上衣においては、前面側の上，下部に設けられたポケット内にそれぞれ第１および第２の係止具を収納することができるので、通常の上衣として使用する際に、第１および第２の係止具が外部に露出するのを防止できる。
【００２０】
請求項６の発明では、第１および第２の係止具の各基部が背面側のベルト部材により連結されるので、乳幼児キャリアの一部として上衣を使用する際に、乳幼児の重量をこのベルト部材で負担することができ、上衣全体の強度を向上できる。
【００２１】
請求項７の発明では、ベルト部材が背面側の表布内に長さ方向スライド自在に設けられるので、通常の上衣として使用する際に、たとえば第２の係止具側にベルト部材を引き寄せることによって、ベルト部材の弛みの部分の大部分を前面側下部のポケット内に収納できる。また、乳幼児キャリアの一部として上衣を使用する際には、第１および第２の係止具の上下方向の位置を適宜調節できる。
【００２２】
【発明の実施の形態】
以下、本発明の実施態様を添付図面に基づいて説明する。
図１ないし図７は本発明の一実施態様による乳幼児服および子守者用上衣を説明するための図であって、図１は乳幼児服の展開状態の表面図、図２はその裏面図、図３は乳幼児服の組立状態の前面図、図４はその背面図、図５は子守者用上衣の全体斜視図、図６および図７は乳幼児服および子守者用上衣の使用状態の一例を示す図である。
【００２３】
図１および図２に示すように、この乳幼児服１は、乳幼児の胸部，股部，背部をそれぞれ覆うための胸当て部２，幅の狭い股当て部３，背当て部４を一体に連設して形成されるとともに、展開可能になっている。なお、以下、説明の便宜上、図１および図２の上方，下方をそれぞれ乳幼児服１の上方，下方とする。
【００２４】
胸当て部２の下端中央および背当て部４の上端中央には、乳幼児の首を通すための円弧状の切欠き２ａ，４ａがそれぞれ形成されている。また、股当て部３の左右両端部には乳幼児の脚を通すための円弧状の切欠き３ａがそれぞれ形成されている。さらに、胸当て部２の下部両端および背当て部４の上部両端には、乳幼児の腕を通すための切欠き２ｂ，４ｂがそれぞれ形成されている。
【００２５】
胸当て部２の下端には係止ホック２１，２２が取り付けられており、これらの係止ホック２１，２２は、背当て部４の上端に取り付けられた各係止ホック４１，４２にそれぞれ係脱自在に係合し得るようになっている。また、胸当て部２の上部両端には係止ホック２３，２４が取り付けられており、これらの係止ホック２３，２４は、背当て部４の下部両端に取り付けられた各係止ホック４３，４４にそれぞれ係脱自在に係合し得るようになっている。
【００２６】
股当て部３から背当て部４にかけてベルト部材１０，１１がＸ字状に配設されている。各ベルト部材１０，１１は、その交差部分の上，下方の大部分が股当て部３および背当て部４の内部に縫い込まれており、それぞれの上端部分１０ａ，１１ａおよび下端部分１０ｂ，１１ｂのみが外部に露出している。各上端部分および下端部分の先端には、Ｄ字状の環金具（Ｄ環）１２，１３，１４，１５がそれぞれ取り付けられている。
【００２７】
胸当て部２の上部にはポケット１６，１７が設けられており、Ｄ環１４，１５はそれぞれポケット１６，１７内に収納されるようになっている。なお、図１では、Ｄ環１４のみがポケット１６内に収納されている状態を示している。
【００２８】
背当て部４の上部には、ベルト部材１０，１１の各Ｄ環１２，１３を上方から覆う襟５が設けられている。襟５の裏側において下部両端には係止ホック５１が取り付けられており、これらの係止ホック５１は、背当て部４の上部両端に取り付けられた各係止ホック４５に係脱自在に係合し得るようになっている。
【００２９】
乳幼児服１を乳幼児に着せる際には、まず、乳幼児服１を展開状態にして、その裏面側（図２）を上に向けた状態で、背当て部４の上に乳幼児を仰向けに寝かせる。次に、胸当て部２を乳幼児の胸に被せて、側部係止ホック２３，２４，４３，４４および上部係止ホック２１，２２，４１，４２をそれぞれ係合させる。これにより、乳幼児服１を乳幼児に着用させることができる。
【００３０】
このとき、図３に示すように、胸当て部２のポケット１６，１７内にＤ環１４，１５が収納され、また図４に示すように、背当て部４の襟５によりＤ環１２，１３が覆われているので、乳幼児服１を通常の乳幼児服として使用する際に、Ｄ環１２，１３，１４，１５が外部に露出するのを防止できる。
【００３１】
次に、乳幼児服１を乳幼児キャリアとして使用する際に用いられる子守者用上衣について、図５を用いて説明する。
【００３２】
この上衣６は、前開きのタイプであって、前面にボタン６１を有しており、前面側の上部に上ポケット６２，６３を、下部に下ポケット６４，６５をそれぞれ有している。また、前面側の上，下部から背面側にかけて、ベルト部材７０，７１がＸ字状に配設されている。各ベルト部材７０，７１は、その端部を除く大部分が前面側および背面側の表布内部に縫い込まれており、それぞれの上端部分７２，７３および下端部分７４，７５のみが外部に露出している。
【００３３】
上端部分７２，７３および下端部分７４，７５の各先端部分には、フック部材７６がそれぞれ取り付けられている。なお、図５では、上端部分７２のフック部材７６のみが示されており、他のフック部材は、各ポケット６３，６４，６５内に収納されている。上衣６の通常の着用状態では、このように、各フック部材は各ポケット内に収納されており、上衣６を通常のベストとして着用できる。また、各上端部分７２，７３の裏側には、それぞれ係止ホック７８，７９が取り付けられている。
【００３４】
次に、乳幼児服１を乳幼児キャリアとして使用する際には、子守者が上衣６を着用した状態で乳幼児を抱き、ベルト部材７０，７１の上端部分７２，７３の各フック部材７６を乳幼児服１の各Ｄ環１２，１３に係合させるとともに、ベルト部材７０，７１の下端部分７４，７５の各フック部材７６を乳幼児服１の各Ｄ環１４，１５に係合させる。
【００３５】
これにより、乳幼児が子守者用の上衣６に吊り下げられた状態になるので（図６参照）、乳幼児キャリアとしての使用が可能である。
この場合には、乳幼児が予め乳幼児服として着用していることにより、各フック部材およびＤ環を係合させるだけで乳幼児キャリアとしての使用が可能になるので、装着の容易な乳幼児キャリアを実現できる。
【００３６】
また、このとき、図７に示すように、襟５を立てるとともに、襟裏側の各係止ホック５１を上衣６の上端部分７２，７３の各係止ホック７８，７９に係合させることにより、襟５を乳幼児キャリア用の頭当て部（ヘッドサポート）として使用することができる。
【００３７】
なお、前記実施態様では、子守者用上衣６の各ベルト部材７０，７１が前面側および背面側の表布内に縫い込まれた例を示したが、本発明の適用はこれに限定されず、各ベルト部材７０，７１が前面側および背面側の表布内で長さ方向スライド自在に設けられているものにも同様に本発明を適用できる。
【００３８】
この場合には、たとえば下方に各ベルト部材７０，７１を引き寄せることにより、各ベルト部材７０，７１の弛みの部分の大部分を前面側下部のポケット６４，６５内に収納することができ、これにより、上衣６を着用して乳幼児を抱く際に、乳幼児の顔の近くに配置されることになる前面側上部のポケット６２，６３が外方に膨らむのを防止できる。また、ベルト部材７０，７１を適宜スライドさせることにより、乳幼児キャリアの一部として上衣６を使用する際に、各フック部材７６の上下方向の位置を適宜調節できる。
【００３９】
また、前記実施態様では、乳幼児服１のベルト部材１０，１１がＸ字状に配設された例を示したが、このベルト部材１０，１１はＶ字状に配設されていてもよい。このとき、各ベルト部材１０，１１の交差部分には、前記実施態様のＤ環１４，１５のかわりに一つの環状リングが取り付けられることになる。また、ベルト部材１０，１１は互いに平行に配設されていてもよい。
【００４０】
さらに、前記実施態様では、ベルト部材１０，１１の各上下端部分１０ａ，１１ａ，１０ｂ，１１ｂにそれぞれＤ環が取り付けられた例を示したが、本発明の適用はこれに限定されない。前記各上下端部分を短冊状のベルト片１０ａ，１１ａ，１０ｂ，１１ｂとして設け、これらの各基端部を背当て部４，股当て部３にそれぞれ縫合するとともに、各ベルト片の先端にそれぞれＤ環を取り付けるようにしてもよい。なお、前記実施態様のように、各ベルト部材１０，１１の上下両端にＤ環を取り付けた場合の方が強度的には好ましい。
【００４１】
前記実施態様では、子守者用の上衣がベスト型のものを示したが、袖付きの胴衣であってもよいのはいうまでもない。
【００４２】
【発明の効果】
以上のように本発明に係る乳幼児服によれば、乳幼児が予め乳幼児服として着用していることにより、上衣側の第１，第２の係止具および被係止具を係合させるだけで乳幼児キャリアの装着が可能になるので、装着の容易な乳幼児キャリアを実現できる効果がある。
【図面の簡単な説明】
【図１】本発明の一実施態様による乳幼児服の展開状態の表面図。
【図２】前記展開状態の乳幼児服の裏面図。
【図３】乳幼児服の組立状態の前面図。
【図４】前記組立状態の乳幼児服の裏面図。
【図５】子守者用上衣の全体斜視図。
【図６】乳幼児キャリアとしての使用状態の一例を示す図。
【図７】乳幼児キャリアとしての使用状態の他の例を示す図。
【符号の説明】
１                        乳幼児服
２                        胸当て部
３                        股当て部
４                        背当て部
５                        襟
６                        子守者用上衣
１２，１３，１４，１５    Ｄ環（第１，第２の被係止具）
１６，１７                ポケット
２１，２２，４１，４２    上部係止ホック
２３，２４，４３，４４    側部係止ホック
４５，５１                係止ホック
６２，６３，６４，６５    ポケット
７０，７１                ベルト部材
７６                      フック部材（第１，第２の係止具）
７８，７９                係止ホック
【図１】
0003655678.tif 000002
【図２】
0003655678.tif 000003
【図３】
0003655678.tif 000004
【図４】
0003655678.tif 000005
【図５】
0003655678.tif 000006
【図６】
0003655678.tif 000007
【図７】
0003655678.tif 000008